(57)【特許請求の範囲】
【請求項１】
帯状の研磨部材を有し、移送通路内を移送される遊技媒体に前記研磨部材を当接させることにより、前記遊技媒体の研磨を行う研磨手段を備えた遊技用装置において、
前記研磨手段は、前記研磨部材を適宜移動させる電気的駆動源と、前記研磨部材の移動量を検出するための移動量検出部とを備え、
該移動量検出部は、前記研磨部材が掛け渡されるローラと、該ローラの回転が伝達される回転部材と、前記研磨部材が掛け渡されている部分以外の部分にて当該回転部材と前記ローラとを接触させ、回転部材と前記ローラの間の滑りを防止する滑り防止手段と、前記回転部材の回転量を検出するための回転量検出手段とを備えていることを特徴とする遊技用装置。
【請求項２】
前記滑り防止手段は、前記回転部材に形成された回転部材側ギヤと、前記ローラに形成され、前記回転部材側ギヤと噛み合うローラ側ギヤとから構成されることを特徴とする請求項１の遊技用装置。
【請求項３】
前記回転部材は、前記ローラの反対側で前記研磨部材に当接するカラーを備えることを特徴とする請求項１又は請求項２の遊技用装置。
【請求項４】
前記研磨部材は、前記電気的駆動源によりリールに巻き取られるようにして、前記ローラには、前記研磨部材が遊技媒体に接触する箇所から前記リールの間において、前記研磨部材が掛け渡されることを特徴とする請求項１、請求項２又は請求項３の遊技用装置。
【請求項５】
前記研磨部材は、前記遊技媒体の移送方向と逆方向に移動されることを特徴とする請求項１、請求項２、請求項３又は請求項４の遊技用装置。
【請求項６】
前記研磨手段は、内部に封入された遊技媒体を用いて遊技を行う封入式遊技機に取り付けられることを特徴とする請求項１、請求項２、請求項３、請求項４又は請求項５の遊技用装置。
【発明の詳細な説明】
【０００１】
【発明の属する技術分野】
本発明は、帯状の研磨部材を遊技媒体に当接させて研磨を行う研磨手段を備えた遊技用装置に関するものである。
【０００２】
【従来の技術】
遊技用装置の一例として封入式遊技機においては、遊技機内部に封入された打玉（遊技媒体）を、打球発射操作部を操作して繰り返し弾発発射し、遊技領域に打ち込むことにより遊技が行われ、遊技領域に設けられた入賞領域に入賞した場合には、景品玉の代わりに遊技者に得点（持点）が付与される構成とされている。
【０００３】
また、係る遊技機の内部空間内に封入された打玉には内部で循環している間に汚れが付着する。この汚れは玉詰まりなどの不都合を引き起こすため、この種封入式遊技機の玉循環経路中には玉磨き装置（研磨手段）が取り付けられる。
【０００４】
この玉磨き装置は一対のリールに巻回された帯状の研磨紙（研磨部材）を、玉揚送装置によって移送される打玉に押し付けて磨き、周囲に付着した汚れを落とす機能を奏するものであり、係る玉磨きの方式としては封入式遊技機の如く玉磨き装置を個々の遊技機に取り付けて遊技領域から回収された打玉を遊技機個々に磨くものと、通常の遊技機が設置される遊技機設置島では島毎に玉磨き装置を設けて、各遊技機から回収された打玉を島単位で一括して磨くものとがある。
【０００５】
【発明が解決しようとする課題】
ところで、打玉の汚れが付着した研磨紙は磨き機能が低下するため、モータ（電気的駆動源）によって駆動側のリールを回転させることにより、定期的或いは所定のタイミングで一定量ずつ適宜移動させ、打玉に当接している部分を更新する必要がある。この場合、一回の移動量は研磨紙の移動に連動して回転する円盤と光学式センサとによって検出していた。この円盤の周囲には複数の透孔が穿設されており、この透孔が通過する位置にセンサを設けて円盤の回転量を検出する。そして、研磨紙が掛け渡されるローラに円盤の回転軸を当接させることによって、研磨紙の移動に伴うローラの回転を円盤に伝達させ、円盤を回転させて当該円盤の回転量から研磨紙の移動量を検出する方式が採られていた。
【０００６】
しかしながら、従来はローラに研磨紙を介して円盤の回転軸に回転量を伝達させる方式であったため、どうしても回転軸とローラが滑ってローラの回転量を正確に円盤の回転量とすることが困難であった。
【０００７】
本発明は、係る従来の技術課題を解決するために成されたものであり、研磨手段の研磨部材の移動量を正確に検出し、研磨部材の移動を的確に行うことができ、ひいては、遊技媒体を良好に研磨できる遊技用装置を提供するものである。
【０００８】
【課題を解決するための手段】
本発明の遊技用装置は、帯状の研磨部材を有し、移送通路内を移送される遊技媒体に前記研磨部材を当接させることにより、前記遊技媒体の研磨を行う研磨手段を備えたものであって、前記研磨手段は、前記研磨部材を適宜移動させる電気的駆動源と、前記研磨部材の移動量を検出するための移動量検出部とを備え、
該移動量検出部は、前記研磨部材が掛け渡されるローラと、該ローラの回転が伝達される回転部材と、前記研磨部材が掛け渡されている部分以外の部分にて当該回転部材と前記ローラとを接触させ、回転部材と前記ローラの間の滑りを防止する滑り防止手段と、前記回転部材の回転量を検出するための回転量検出手段とを備えていることを特徴とする。
【０００９】
本発明によれば、帯状の研磨部材を有し、移送通路内を移送される遊技媒体に前記研磨部材を当接させることにより、前記遊技媒体の研磨を行う研磨手段を備えた遊技用装置において、  前記研磨手段は、前記研磨部材を適宜移動させる電気的駆動源と、前記研磨部材の移動量を検出するための移動量検出部とを備え、該移動量検出部は、前記研磨部材が掛け渡されるローラと、該ローラの回転が伝達される回転部材と、前記研磨部材が掛け渡されている部分以外の部分にて当該回転部材と前記ローラとを接触させ、回転部材と前記ローラの間の滑りを防止する滑り防止手段と、前記回転部材の回転量を検出するための回転量検出手段とを備えているので、研磨部材が掛け渡されたローラと回転部材間の滑りを極力防止することができるようになる。
【００１０】
これにより、研磨部材の移動に伴うローラの回転を正確に回転部材に伝達して、その回転量から回転量検出手段により正確に研磨部材の移動量を検出することができるようになり、研磨部材の的確な移動制御を実現することができるようになるので、遊技媒体を良好に研磨できる。
【００１１】
請求項２の発明の遊技用装置は、上記において前記滑り防止手段は、前記回転部材に形成された回転部材側ギヤと、前記ローラに形成され、前記回転部材側ギヤと噛み合うローラ側ギヤとから構成されることを特徴とする。
【００１２】
請求項２の発明によれば、上記に加えて前記滑り防止手段を、前記回転部材に形成された回転部材側ギヤと、前記ローラに形成され、前記回転部材側ギヤと噛み合うローラ側ギヤとから構成したので、滑り無くローラの回転を回転部材に伝達することができるようになるものである。
【００１３】
請求項３の発明の遊技用装置は、上記各発明において前記回転部材は、前記ローラの反対側で前記研磨部材に当接するカラーを備えることを特徴とする。
【００１４】
請求項３の発明によれば、上記各発明に加えて前記回転部材は、前記ローラの反対側で前記研磨部材に当接するカラーを備えるので、回転部材の倒れ込みや研磨部材のローラからの浮き上がりも防止することができるようになるものである。
【００１５】
請求項４の発明の遊技用装置は、上記各発明において前記研磨部材は、前記電気的駆動源によりリールに巻き取られるようにして、前記ローラには、前記研磨部材が遊技媒体に接触する箇所から前記リールの間において、前記研磨部材が掛け渡されることを特徴とする。
【００１６】
請求項４の発明によれば、上記各発明に加えて前記研磨部材は、前記電気的駆動源によりリールに巻き取られるようにして、前記ローラには、前記研磨部材が遊技媒体に接触する箇所から前記リールの間において、前記研磨部材が掛け渡されるようにしたので、遊技媒体に接触した後の研磨部材の移動量を検出できるので、確実に遊技媒体に接触して汚れた研磨部材を巻き取れる。
【００１７】
請求項５の発明の遊技用装置は、上記各発明において前記研磨部材は、前記遊技媒体の移送方向と逆方向に移動されることを特徴とする。
【００１８】
請求項５の発明によれば、上記各発明に加えて前記研磨部材は、前記遊技媒体の移送方向と逆方向に移動されるようにしたので、移送される遊技媒体との当接によって研磨部材が緩み、捩れるなどの不都合を極力防止することができるようになるものである。
【００１９】
請求項６の発明の遊技用装置は、上記各発明において前記研磨手段を、内部に封入された遊技媒体を用いて遊技を行う封入式遊技機に取り付けて構成されていることを特徴とする。
【００２０】
請求項６の発明によれば、内部に封入された遊技媒体を用いて遊技を行う封入式遊技機に上記各発明の研磨手段を取り付けたので、封入式遊技機内を循環する遊技媒体を円滑に研磨することができるようになるものである。
【００２１】
【発明の実施の形態】
次に、本発明の一実施形態を図面に基づいて詳細に説明する。図１は本発明の遊技用装置の一実施例としての封入式遊技機１の斜視図を示し、図２はその背面斜視図を示している。遊技機１は、縦長の長方形に枠組み形成された外枠２と、この外枠２の一側（向かって左側）に上部が回動自在で且つ着脱自在に軸支され、遊技機１の主要構成部の略全てが集約して設けられる上部前面枠３Ａと、この上部前面枠３Ａの下側に位置して外枠２の一側に上下を回動自在で且つ着脱自在に軸支された下部前面枠３Ｂとを備えている。これら上部前面枠３Ａと下部前面枠３Ｂとで遊技機１の前面枠を構成している。尚、本発明においては実施例のように上部前面枠３Ａと下部前面枠３Ｂとが分離したものに限らず、これらが一体化された単一の前面枠でも良い。
【００２２】
これら上部前面枠３Ａと下部前面枠３Ｂとは相互に分離しており、下部前面枠３Ｂの一側に上部前面枠３Ａの下部が回動自在で且つ着脱自在に軸支されている。上部前面枠３Ａには遊技盤４が着脱自在に取り付けられると共に、この遊技盤４の前側には開閉自在の透明板保持枠５がこれも上部前面枠３Ａに着脱自在に取り付けられている。また、下部前面枠３Ｂには前面上側に持点表示部となる持点表示ユニット６が一側を着脱且つ開閉自在に軸支されると共に、その下側には引落・精算用の操作部となる表示ユニット７と打球発射操作部となるハンドルセット８が何れも着脱可能に取り付けられている。下部前面枠３Ｂには記録媒体処理装置としてのカードユニット装置１０が取り付けられており、前記表示ユニット７内に配置され、そのカード挿入口１３は当該表示ユニット７の開口１１から前方に臨んでいる。尚、上記上部前面枠３Ａはカードユニット装置１０を設けた下部前面枠３Ｂの上側で開閉且つ着脱に設けられている。また、下部前面枠には打球発射操作部となるハンドルセット８に対応した図示しない打球発射装置が取り付けられている。
【００２３】
遊技盤４は、略正方形状の合板により形成され、その前面には円形渦巻き状に誘導レール１４が取り付けられ、この誘導レール１４の内側が遊技領域１５とされている。この遊技領域１５には、実施例ではドラム式可変表示装置１６と、このドラム式可変表示装置１６の可変表示を許容する始動入賞口１７と、可変入賞球装置１８などが設けられている。遊技内容は、ドラム式可変表示装置１６に導出された表示結果が大当たり図柄になると、これに伴って特定遊技状態が発生して可変入賞球装置１８を所定の態様で開放制御するものである。尚、本発明に係る特定遊技状態（特定の遊技価値）は、上記に限らず、下記に示すように▲１▼〜▲４▼の制御のうち何れか一つの制御又はそれらを組み合わせた制御を実行する状態であれば良い。
【００２４】
即ち、▲１▼．打玉の入賞を容易にする第一の状態と、打玉が入賞できない又は入賞し難い第二の状態とに変化可能な可変入賞球装置に対して所定時間連続的に、又は、間欠的に第一の状態にする制御。
▲２▼．特定の入賞又は通過領域での打玉の検出を介在させ、打玉の入賞を容易にする第一の状態と、打玉が入賞できない又は入賞し難い第二の状態とに変化可能な可変入賞球装置に対して所定時間連続的に、又は、間欠的に第一の状態にする制御。
▲３▼．打玉の入賞に係わらず所定数の景品玉或いは持点を直接付与する制御。
▲４▼．有価価値を有する記録媒体（カードやレシートなど）に対して有価価値数を加算する制御。
【００２５】
前記透明板保持枠５には、遊技盤４の遊技領域１５を透視し得る円形の透視窓１９が開設され、この透視窓１９にはその裏側から複層ガラスから成る透明板２０が着脱自在に装着されている。透視窓１９の外周には、その上部に装飾ＬＥＤ２１が設けられ、左右両側方には、装飾ランプ２２が設けられている。この装飾ＬＥＤ２１や装飾ランプ２２は遊技状態に応じて点灯又は点滅されるものであり、特定遊技状態の発生などを遊技者に報知すると共に、遊技の雰囲気を盛り上げるように構成されている。
【００２６】
透明板保持枠５の軸支側上部には入賞玉の発生に基づいて所定数の得点が付与されたことを報知する賞球ＬＥＤ２４が設けられ、透明板保持枠５の上部左右には、遊技の進行に応じた効果音を発生する効果音スピーカ２５が設けられている。更に、透明板保持枠５には、遊技盤４の前面に貼付される証紙（図示せず）を視認させるための開口３１が穿設されている。
【００２７】
下部前面枠３Ｂは上方に延在して外枠２と上部前面枠３Ａ間に介在する上部枠体１２を備えており、この上部枠体１２の一側中央より下側には軸受金具４１が設けられ、この軸受金具４１には回転軸が立設されている。また、外枠２の一側上隅部にはヒンジ板３３が取り付けられている。そして、上部前面枠３Ａの一側上下に取り付けられた軸受金具がこれらヒンジ板３３と軸受金具４１の回転軸に回動自在で着脱自在に軸支される。
【００２８】
そして、上部前面枠３Ａと下部前面枠３Ｂは外枠２に対して一体に開閉自在とされ、且つ、上部前面枠３Ａのみが開閉自在な状態とすることができるように構成されている。従って、上部前面枠３Ａのみ開閉とする状態と上部前面枠３Ａと下部前面枠３Ｂを一体的に開閉する状態を選択できるので、それぞれに設けられた各機器のメンテナンスが極めて容易となる。また、下部前面枠３Ｂを残しておいて上部前面枠３Ａのみ交換することもできるようになるので、リサイクル性が向上する。
【００２９】
下部前面枠３Ｂの前面には何れも硬質合成樹脂製の前記持点表示ユニット６、表示ユニット７、ハンドルセット８及びカバー部材４４、４５が着脱可能に取り付けられ、これらによって下部前面枠３Ｂの前面は被覆される。従って、前記持点表示ユニット６、表示ユニット７及びハンドルセット８もカバー部材として機能する。尚、表示ユニット７やカバー部材４４、４５は位置決めしてビス若しくはナット止めにて下部前面枠３Ａに前面から着脱可能に取り付けられている。
【００３０】
このように、下部前面枠３Ｂの前面を覆う持点表示ユニット６、表示ユニット７、ハンドルセット８及びカバー部材４４、４５を着脱可能に取り付けているので、遊技機１のデザイン変更の際にはこれらのみを交換することが可能となり、模様替えに要するコスト削減を図ることができるようになる。
【００３１】
即ち、上記持点表示ユニット６は、下部前面枠３Ｂに回動且つ着脱自在に取り付けられたカバー部材４８を備え、このカバー部材４８に例えばドットマトリックス式のＬＥＤ若しくはＬＣＤから構成される持点表示部４９が斜め上方に向けて露出して取り付けられ、その裏面にはこの持点表示部４９の回路基板（図示せず）も取り付けられている。そして、この持点表示部４９には遊技者が遊技の結果獲得した持点が表示される。尚、この持点表示部４９には玉詰まり時などに店員を呼び出す際の表示を例えば「ＣＡＬＬ」などの形式で表示し、或いは、中座する際には「中断中」などの表示が行えるように構成されている。
【００３２】
また、下部前面枠３Ｂには施錠装置５２及び５３が設けられており、施錠装置５２を鍵で例えば右に回すと透明板保持枠５の施錠が解除され、それによって、透明板保持枠５が開放可能となる。また、この施錠装置５２を左に回せば、今度は上部前面枠３Ａの施錠が解除され、それによって、上部前面枠３Ａが開放可能となる。更に、施錠装置５３を鍵で回すと、下部前面枠３Ｂの施錠が解除され、それによって、下部前面枠３Ｂと上部前面枠３Ａが一体に開放可能となるものである。
【００３３】
表示ユニット７は、持点表示ユニット６の下側中央から前方に突出するカバー部材５４を備えており、このカバー部材５４の上面には、引落・精算操作用の各種スイッチや電気的表示部が集約して配設された操作部５５が構成されており、その側方には灰皿５６が形成されている。また、カバー部材５４は下部前面枠３Ｂ側にナットにて着脱可能に取り付けられている。この表示ユニット７のカバー部材５４内には上記操作部５５の各スイッチや電気的表示部の回路基板（図示せず）が取り付けられており、これらは一体として下部前面枠３Ｂに着脱可能に取り付けられている。そして、前述した如くこの表示ユニット７内にはカードユニット装置１０が配置され、カード挿入口１３に対する開口１１を設けたカバー部材５４によって前記カード挿入口１３を除く部位が隠蔽されている。
【００３４】
ハンドルセット８は、ハンドルリング５７Ａを備えた操作ハンドル５７と、この操作ハンドル５７を下部前面枠３Ｂに着脱可能に取り付けるためのカバー部材５８とから構成されている。カバー部材５８には、ハンドルセット８を下部前面枠３Ｂに穿設された取付孔に着脱可能に取り付けて固定するための取付ボルト（図示せず）が一体的に設けられている。尚、前記施錠装置５３はこのハンドルセット８の右上部に位置している。
【００３５】
このような遊技機１は、外枠２を遊技機設置島に固定することにより、複数台並設される。尚、実施例では外枠２に上部前面枠３Ａや下部前面枠３Ｂを着脱且つ回動自在に枢支する方式としたが、それに限らず、各前面枠３Ａ、３Ｂを直接遊技機設置島の図示しないフレームに着脱且つ回動自在に枢支する方式でも良い。即ち、その場合には遊技機設置島のフレームが外枠の役目をするので、外枠２は必要ないものとなる。
【００３６】
前記表示ユニット７の斜め上方に指向された上面に構成された操作部５５には、例えば複数桁の７セグメントＬＥＤ（或いはＬＣＤ）表示器で構成された残高表示部、景品持玉表示部と、各種操作スイッチ（精算スイッチ、中断スイッチ、玉貸スイッチ、自動玉貸スイッチ、リプレースイッチ、カードデータスイッチ、呼出スイッチ）と、各種ＬＥＤ（カード残高ＬＥＤ、リプレー回数ＬＥＤ、景品持玉ＬＥＤ、貯玉ＬＥＤ、自動玉貸ＬＥＤ、中断ＬＥＤ）などが集約して設けられている。
【００３７】
これら残高表示部、景品持玉表示部、精算スイッチ、中断スイッチ、玉貸スイッチ、自動玉貸スイッチ、リプレースイッチ、カードデータスイッチ、呼出スイッチ、カード残高ＬＥＤ、リプレー回数ＬＥＤ、景品持玉ＬＥＤ、貯玉ＬＥＤ、自動玉貸ＬＥＤ、中断ＬＥＤは、表示ユニット７内に設けられた前記回路基板に電気的に接続されている。この回路基板と前記持点表示ユニット６の持点表示部４９の回路基板は、遊技機１内の後述する遊技制御基板８１やカードユニット装置１０内のカードユニット制御基板と共に後述する台管理装置１１１に電気的に接続され、上記各種操作スイッチの押圧操作信号を遊技制御基板８１やカードユニット制御基板に出力すると共に、これらの制御基板から各種信号の入力を受け、各表示部及びＬＥＤ（ＬＣＤ）の点灯制御を実行する。
【００３８】
このような遊技機１で遊技を行なうためには、まずＩＣカードから成る持点カードをカードユニット装置１０のカード挿入口１３に挿入する。この持点カードは、例えば遊技場に設置されたカード販売機で購入することができる。カード販売機から発行された持点カードには、当該カードが発行された遊技場を特定可能な遊技場コード、複数の持点カードの中から当該持点カードを特定可能な識別情報、持点カード購入の際に遊技者が支払った金額に応じてその上限が定められるカード残高などが記録されている。
【００３９】
そして、上記持点カードがカードユニット装置１０のカード挿入口１３に挿入された場合には、その記録情報が内部のカードリーダライタにより読み取られて操作部５５に設けられた前記残高表示部に持点カードのカード残高が表示される。また、この場合はカード残高ＬＥＤが点灯する。
【００４０】
尚、遊技者が貯玉（遊技場預り持点）で遊技する場合には、前記リプレースイッチを押す。このリプレースイッチが押されると、残高表示部には貯玉のリプレー回数（回）が表示されると共に、前記カード残高ＬＥＤが消灯し、リプレー回数ＬＥＤが点灯する。そして、もう一回リプレースイッチを押せば残高表示に復帰する。
【００４１】
次に、自動玉貸スイッチが押されていない場合には、遊技機１は持点カードからの有価価値の引落モード、即ち、貸出モードが玉貸モードとなり、自動玉貸ＬＥＤは消灯している。この貸出モードが玉貸モードに設定されている場合には、遊技者が前記玉貸スイッチを押す操作に基づいてカード残高が引き落とされ、遊技に使用可能な持点が貸し出される。
【００４２】
尚、有価価値の引落モードには玉貸モードの他、自動玉貸モード、再プレイモード、自動再プレイモードがある。リプレースイッチが押されていない状態で、自動玉貸スイッチが押されると自動玉貸モードとなり、自動玉貸ＬＥＤが点灯する。リプレースイッチが押されている状態で、自動玉貸スイッチが押されていない場合には再プレーモードとなり、自動玉貸ＬＥＤは消灯すると共に、その状態で自動玉貸スイッチが押されると自動再プレーモードとなり、自動玉貸ＬＥＤが点灯することになる。
【００４３】
上記玉貸モードにおいて、玉貸スイッチを押せば、持点カードのカード残高から所定数のカード残高が引き落とされて残高表示部でカード残高が減算更新表示される。一方、カード残高の引き落としと引き換えに所定数の持点が遊技者に付与され、付与された持点数が前記持点表示ユニット６の持点表示部４９に加算更新表示される。この場合の持点は持点表示部４９にて大きく表示されるので、遊技者の視認性は良好となり、持点のアピール度が向上する。
【００４４】
持点表示部４９に持点が存在する状態で操作ハンドル５７を操作すれば、遊技機１内に封入されている打玉（遊技媒体）が図示しない打球ハンマにより一発ずつ遊技領域１５内に打ち込まれる。打ち込まれた打玉は図示しない発射玉検出器により一つずつ検出され、検出のある毎に持点表示部４９の持点数が一つずつ減算更新表示される。
【００４５】
発射勢いが弱すぎて遊技領域１５にまで到達しなかった打玉はファール玉入口より回収され、遊技盤４の裏面に設けられた図示しないファール玉検出器で検出される。ファール玉が検出されるごとに持点表示部４９で持点数が一つずつ加算更新表示される。これにより、遊技者の打玉が遊技領域１５にまで到達する機会を得ることなく減算更新された持点を有効に再度使用することができる。
【００４６】
打玉が始動入賞口１７、或いは、可変入賞球装置１８に入賞すれば、その入賞に応じて所定数の持点が遊技者に付与される。遊技者に付与された持点は、持点表示部４９に加算更新表示される。また、いずれの入賞口にも入賞しなかった打玉はアウト口より回収される。
【００４７】
遊技領域１５に打ち込まれた打玉が始動入賞口１７に入賞すればドラム式可変表示装置１６で図柄の可変表示が開始される。そして、ドラム式可変表示装置１６の可変表示結果が予め定められた特定の表示態様（たとえば７７７）となれば、所謂大当りが発生する。大当りが発生すれば、可変入賞球装置１８が開成状態となり遊技者にとって有利な第一の状態となる。この第一の状態は打玉の可変入賞球装置１８への所定個数（たとえば１０個）の入賞、あるいは所定期間（たとえば３０秒間）の経過のうち、いずれか早い方の条件が成立することにより終了して遊技者にとって不利な第二の状態、すなわち、可変入賞球装置１８が閉成した状態となる。
【００４８】
可変入賞球装置１８が第一の状態となっている期間中に可変入賞球装置１８内に進入した打玉は図示しない入賞個数検出器、或いは、特定入賞玉検出器により検出される。打玉が特定入賞玉検出器により検出されれば、その回の可変入賞球装置１８の第一の状態が終了するのを待って再度可変入賞球装置１８を第一の状態に制御する繰り返し継続制御が行なわれる。この繰り返し継続制御の上限回数はたとえば１６回と定められている。
【００４９】
繰り返し継続制御がすべて終了して、所謂大当り状態が終了すれば、その時点で持点表示部４９に表示されている持点はすべて景品交換用の景品交換持点に変換され、遊技者が最終的に遊技を終えるまで記憶される。そして、遊技者が遊技終了操作を行ない、持点カードがカードユニット装置１０から排出される際に持点カードにこの景品交換持点が累積記憶される。
【００５０】
尚、持点表示部４９に表示されていた持点が景品交換持点に変換されると同時に持点表示部４９の表示は０にクリアされる。従って、大当りの終了後、遊技を続行するためには、改めてカード残高の引落操作を行なわなければならない。また、一時的に累積記憶されている景品交換持点を引き落として遊技に使用することはできず、さらに持点カードに既に記録されている景品交換持点が存在するとしても、直接これを引き落として遊技に使用することはできない。
【００５１】
景品交換持点は、原則として景品交換専用の持点として定められているからである。なお、この景品交換持点と区別する意味で、特に持点表示部４９に表示され遊技に直接使用可能な持点のことを遊技持玉と呼ぶ。持点表示部４９には常時この遊技持玉が表示される。一方、前記景品持玉表示部には上記景品交換持点を表示する。これを景品持玉と呼び、この際には前記貯玉ＬＥＤは消灯して景品持玉ＬＥＤが点灯する。
【００５２】
尚、先の説明では、大当り状態が終了した時点で持点表示部４９に表示されている遊技可能持点（遊技持玉）が景品交換持点（景品持玉）に変換される旨、説明したが、大当り成立時にドラム式可変表示装置１６に停止表示されている図柄が予め定められたラッキーナンバーと一致する場合には、これに基づいた大当り状態終了後、前述した持点の変換処理を実行することなく遊技可能持点を継続して遊技に使用可能な「持点遊技」が許容される。そして、予め定められたアンラッキーランバーがドラム式可変表示装置１６に停止表示され、大当りが発生したことを条件に持点遊技の許容状態が取り消されて大当りの終了後に前述した持点の変換処理が実行される。
【００５３】
ここで、遊技機１での遊技状況に応じて持点数（遊技持玉）が残り少なくなれば、再度玉貸スイッチを押圧操作することにより、カード残高が減算更新されると共に、持点（遊技持玉）を加算更新させることができる。しかしながら、カード残高のこのような引落操作が面倒である場合には、自動玉貸スイッチを押圧操作して前述の自動玉貸モードに変更すればよい。これにより、遊技可能持点が所定数以下になれば自動的にカード残高が引き落とされて持点表示部４９に所定数の持点が加算更新表示されるようになる。モードが自動玉貸モードにある場合には、自動玉貸ＬＥＤが点灯してその旨が表示される。
【００５４】
次に、食事を採るなどの目的のために一旦遊技を中断したい場合には、前記中断スイッチを押すことにより、中断途中から遊技を再開させる権利を有した状態で遊技を中断することができる。この中断中には前記中断ＬＥＤが点灯すると共に、持点表示部４９には「中断中」の文字表示が大きく成される。また、中断が行なわれた際にカードユニット装置１０に挿入されていた持点カード以外のカードを使用した遊技が拒絶される。
【００５５】
遊技を終了する場合には、前記精算スイッチを押せばよい。これにより、残高表示部に表示されているカード残高、および持点表示部４９に表示されている遊技可能持点（遊技持玉）が、それぞれ更新後の情報として持点カードに記録される。また、景品交換持点（景品持玉）が存在する場合には、これが持点カードに記録される。
【００５６】
尚、既に持点カードに以前遊技で獲得した景品交換持点が記録されている場合には、景品交換持点が加算更新されることとなる。以上において、持点カードには、カード残高の他、遊技可能持点（遊技持玉）および景品交換持点（景品持点）がそれぞれ記録されていることとなる。情報の書き換えが終了した持点カードは、カードユニット装置１０のカード挿入口１３から排出される。
【００５７】
持点カードに記録される景品交換持点（景品持玉）および遊技可能持点（遊技持玉）は、それぞれの持点を所有することとなった当日限りにおいて有効な持点である。従って、遊技可能持点を当日中に遊技に使用しない場合や景品交換持点および遊技可能持点を当日中に景品交換に使用しない場合には、翌日以降はそれらの持点は無効扱いとなる。遊技場内には、これらの持点を当日以降も景品交換に有効に使用可能な有価価値である「貯玉」に変換するための変換処理装置が設けられている。
【００５８】
例えば、この種の変換処理装置は遊技場内のスペースを有効活用するために景品交換操作を行なうための景品交換処理装置と兼用構成されている場合が多い。景品交換持点あるいは遊技可能持点を「貯玉」に変換したい場合には、それらの持点の記録された持点カードを前記変換処理装置に挿入し、貯玉に変換したい持点の種類（遊技可能持点、景品交換持点）および持点数を指定して実行操作すればよい。これにより、指定された持点が「貯玉」に変換され、持点カードに記録される。尚、持点カードには直接記録されず、会員管理コンピュータなどで記憶しておくようにしてもよい。
【００５９】
尚、操作以前に既に過去の変換操作に基づいて「貯玉」が存在する場合には、これに累積して加算更新されることになる。ここで「貯玉」を定義付けるならば、「貯玉」とは、持点を遊技場預かりとして累積的に保管された有価価値となる。持点を「貯玉」に変換することにより、遊技行為当日のみならず過去において獲得した持点を累積的に保管できることとなる。遊技者は、貯玉を繰り返し行なうことにより、一度の遊技では獲得することが困難な景品交換額の大きな景品を獲得することが可能となる。また、「貯玉」の量に応じて遊技場毎に様々なサービスも可能となる。
【００６０】
一方、持点カードに記録されているカード残高や遊技可能持点を使用することなく、貯玉を用いて遊技を行ないたいという遊技者のニーズがある。このような場合には、操作部５５のリプレースイッチを押して、持点の引き落としを行なう際に、これをカード残高から行なうのか、貯玉から行なうのかを選択できるように構成されている。
【００６１】
即ち、操作部５５に設けられたリプレースイッチを押すことにより、貸出モードは貯玉からリプレー回数（貯玉数÷１回の引き落し玉数＝持点で計算されるリプレーの許容回数で、１回リプレーするごとにリプレー１回に対応する貯玉数が減算される。）を引き落とす前記再プレイモード或いは自動再プレイモードとなる。尚、貸出モードが再プレイモードに設定されている場合には、玉貸スイッチの押圧操作に基づいて貯玉からリプレー回数が引き落とされ、貸出モードが自動再プレイモードに選択されている場合には、遊技者の持点数が所定数以下となれば自動的に貯玉から所定数のリプレー回数が引き落とされるように構成されている。
【００６２】
貸出モードが再プレイモードあるいは自動再プレイモードに設定されている場合には、残高表示部にはカード残高に代えて遊技に使用可能なリプレー回数が表示される。また、この場合は前記リプレー回数ＬＥＤが点灯する。ここで、「再プレイ（リプレー）」とは、特に貯玉を用いて遊技を行なうこと、或いは、その状態をいう。尚、この貯玉数は前記カードデータスイッチを押すことにより、景品持玉表示部に切り換えて表示させることができる。
【００６３】
ここで、遊技領域１５にて玉詰まりなどが生じた場合には、前記呼出スイッチを押圧操作する。この呼出スイッチが押圧されると、遊技機設置島に設けられた呼出表示器が点灯すると共に、持点表示部４９には「ＣＡＬＬ」の文字が大きく表示され、店員によるメンテナンスを促す。
【００６４】
次に、図２において遊技機１の上部前面枠３Ａの裏面側の中央部には前記ドラム式可変表示装置１６が取り付けられている。このドラム式可変表示装置１６の上側には遊技機１の遊技内容を制御するためのマイクロコンピュータから成る遊技制御基板８１が着脱自在にネジ止めされている。そして、この遊技制御基板８１には、信号の入出力を行なうための配線が接続されるコネクタ８１Ａが設けられている。
【００６５】
また、遊技制御基板８１の後方から見て右側には情報端子板８９が着脱自在にネジ止めされている。情報端子板８９には、外部（たとえばホールコンピュータ）と遊技機１との間の信号線を接続するための端子や外部電源供給線が接続される電源ソケット、電源スイッチ、コネクタなどが設けられている。また、この情報端子板８９の下側であって、ドラム式可変表示装置１６の後方から見て右側には電飾制御基板９１が着脱自在にネジ止めされている。この電飾制御基板９１は遊技制御基板８１に電気的に接続され、前記装飾ＬＥＤ２１や装飾ランプ２２などの電飾の点灯を制御する。尚、効果音スピーカ２５やカードユニット用のスピーカを制御する音声制御基板も遊技制御基板８１から分離して設け、電飾制御基板９１同様に着脱自在に取り付けても良い。
【００６６】
外枠２の下端左裏面には台管理装置１１１が取り付けられている。この台管理装置１１１は前記カードユニット装置１０のカードユニット制御基板からの各種カード情報や遊技制御基板８１からの遊技情報を受けると共に、表示ユニット７内の回路基板から各種スイッチの操作情報を受け、前述した玉貸などの制御や持点表示部４９の表示制御などを実行する。また、前記情報端子板８９を介してホールコンピュータなどとの間で情報の授受を行う。
【００６７】
この台管理装置１１１と遊技制御基板８１や情報端子板８９、カードユニット装置１０、持点表示部４９などとの間の配線は、遊技機１の裏面の向かって右側（枢支側）に沿って配設されている。これにより、上部前面枠３Ａや下部前面枠３Ｂが回動する際にも支障がないように構成されている。尚、この台管理装置１１１を下部前面枠３Ｂ裏面に取り付けても良い。
【００６８】
ここで、遊技機１の始動入賞口１７や可変入賞球装置１８内に進入した打玉（入賞玉）は遊技盤４の裏面側に導かれる。この遊技盤４の裏面下方における下部前面枠３Ｂの裏側には、この遊技機１において打玉の循環経路の一部を構成する玉循環ユニット部９７が設けられている。この玉循環ユニット部９７は、取付ベース８３と、この取付ベース８３上に設けられた研磨手段を構成する研磨装置９８、及び、この研磨装置９８に打玉（遊技媒体）を揚送するための移送手段を構成する玉揚送装置９９とから構成されている。
【００６９】
上記玉揚送装置９９には受け樋部１０１とこの受け樋部１０１に受け止められた打玉を上方の研磨装置９８に延在する通路部材１０３内の後述する移送通路１２４内に揚送する歯車１０２が設けられている。遊技盤４の裏面に導かれた入賞玉は前記入賞個数検出器や特定入賞個数検出器にて検出処理された後、受け樋部１０１に送られる。また、アウト口より回収されたアウト玉は図示しないアウト玉検出器にて検出処理された後、同様に受け樋部１０１に送られる。
【００７０】
このようにして受け樋１０１に回収された打玉が検出器１０４の位置まで貯留されると、歯車１０２が回転駆動される。この歯車１０２の回転により打玉は通路部材１０３の移送通路に揚送され、そこで、後に詳述する如く研磨装置９８に研磨された後、前述した打球発射装置の打球発射位置に導かれる。尚、ファール玉はファール玉入口に回収されて図示しないファール玉検出器で検出処理された後、打球発射位置に導かれる。
【００７１】
打球発射位置へ導かれた打玉は、前記打球ハンマにより誘導レール１４に向けて発射される。そして、打玉は誘導レール１４に誘導されて遊技領域１５に打ち込まれることになる。以上のようにして、遊技機１の内部空間に封入されている打玉が繰返し循環して遊技に使用されることになる。
【００７２】
次に、前記玉循環ユニット部９７の構造を詳述する。図３はこの玉循環ユニット部９７の拡大斜視図を示し、図４は分解斜視図を示している。前記歯車１０２は受け樋部１０１の向かって右端に連通して位置し、前記通路部材１０３はこの歯車１０２の上方に位置し、下端が歯車１０２に連通して上方に延在している。受け樋部１０１や歯車１０２の上方の取付ベース８３上には、取付ベース８３の上縁に位置する上壁１１２と、通路部材１０３と所定の間隔を存して対向する位置に形成された側壁１１３と、この側壁１１３の下端から右方に少許延在して形成された下壁１１４とから成る周囲壁１１５が設けられている。
【００７３】
また、上壁１１２の右端下面には矩形状の取付壁１１８が取り付けられており、これら上壁１１２、側壁１１３及び下壁１１４から成る周囲壁１１５と取付壁１１８で囲繞される空間内に、後方に向けて開口した矩形状の装着部１１６が構成されている。即ち、周囲壁１１５は装着部１１６の周囲に位置する。
【００７４】
前記上壁１１２には縁部から切り欠かれた切欠部１１７が形成されている。側壁１１３の縁部には周囲壁側抑え部としての抑え片１２１が取り付けられている。この抑え片１２１は略Ｌ字状を呈しており、図４に円Ａで拡大して示す如く、Ｌ字の底辺１２１Ａが側壁１１３の内面から装着部１１６側に突出し、Ｌ字の縦辺１２１Ｂが側壁１１３の端面から突出している。そして、内部に取り付けられた板バネ（付勢手段）１２２によって常時底辺１２１Ａが装着部１１６側に突出するように付勢されると共に（円Ａ内の右側に示す）、板バネ１２２の付勢力に抗して縦辺１２１Ｂを図中左方向に押すことにより、底辺１２１Ａが側壁１１３の内面と面一となるまで後退するよう構成されている（円Ａの左側に示す）。
【００７５】
取付ベース８３上の向かって右側には取付壁１１８と歯車１０２の間に格納部１２３が取り付けられており、この格納部１２３は上下端及び装着部１１６側が開放している。そして、前記通路部材１０３はこの格納部１２３内に格納されている。この場合、通路部材１０３は下端を中心として取付ベース８３上で所定角度回動自在に枢支されている。
【００７６】
この通路部材１０３はテフロンなどの樹脂にて成形されており、この通路部材１０３内に上下端及び装着部１１６側が開放した上下に延在する移送通路１２４が形成されている。この移送通路１２４は遊技媒体としての打玉が一列で通過可能な断面寸法を備えており、装着部１１６側の開口幅は打玉の直径よりも少許小さくされ、これにより、移送通路１２４内を移送される打玉は、装着部１１６側に脱落すること無く、その一部が移送通路１２４から装着部１１６側に臨む構成とされている。
【００７７】
この通路部材１０３の後面部上端には格納部１２３から後方に突出し、且つ、装着部１１６側に突出した通路部材側抑え部としての抑え部１２６が一体に形成されている。また、この抑え部１２６の上側には、通路部材１０３の後面部から後方に突出したピン１２７が一体に形成されている。
【００７８】
一方、取付壁１１８の後面部には保持手段としての保持部材１２８が上下移動自在に取り付けられている。この保持部材１２８は下縁から方に切り込まれた切欠１２９を有しており、取付壁１１８内に位置する付勢手段としてのコイルバネ１３１によって常時下方に付勢されている。この保持部材１２８は降下したときに前記通路部材１０３のピン１２８より下方まで延在し、上昇したときにはピン１２８より上方に移動する。
【００７９】
そして、通路部材１０３は装着部１１６側に回動されたときに略鉛直方向に起立し、その状態でピン１２７は図３及び図６に拡大して示す如く降下状態の保持部材１２８の左縁に当接する。この状態で通路部材１０３は鉛直に起立した状態を保持される。また、その状態からコイルバネ１３１の付勢力に抗して保持部材１２８をピン１２７より上方に上昇させると、通路部材１０３は上部が装着部１１６から離間する方向（図４中時計回り）に回動可能となる。そして、ピン１２７を切欠１２９の下方まで移動させた段階で保持部材１２８を離せば、保持部材１２８はコイルバネ１３１の付勢力で降下するので、ピン１２７は図４及び図５に拡大して示す如く切欠１２９内に進入し、通路部材１０３はその状態を保持される構成とされている。
【００８０】
また、装着部１１６内には上下に一対の従動側の回転軸１３２及び駆動側の回転軸１３３（何れも研磨装置９８の一部を構成する）が突設されている。そして、回転軸１３３は駆動手段としての図示しない巻き取りモータ（研磨装置９８の一部を構成する）の出力軸に接続されている。
【００８１】
図２〜図４において、１３４は後述する研磨紙の移動量を検出するための移動量検出部を構成する回転部材であり、円盤状を呈した周囲に一定間隔で複数の透孔１３６・・・を形成して構成されている。この回転部材１３４は図示しない回転軸を備え、回転部材１３４はこの回転軸の一端に位置し、更に回転軸の他端には回転部材側ギヤとしてのギヤ１３７を備えている。更に回転部材１３４は、それ自体とギヤ１３７間の前記回転軸の周囲に位置する円筒状のカラー１３８を回転自在に備えている。
【００８２】
係る回転部材１３４、前記回転軸及びギヤ１３７は略Ｌ字状の保持アーム１３９の先端に回転自在に保持されており、この保持アーム１３９は取付ベース８３に回動自在に枢支されている。また、保持アーム１３９の中途部から起立する取付軸１３９Ａと取付ベース８３間には付勢手段としてのコイルバネ１４１が掛け渡されており、取付軸１３９Ａは取付ベース８３に取り付けられた案内板１４２に切欠形成された円弧状の溝１４３内に移動自在に位置し、前記回転軸の下端は溝１４３の外側で取付ベース８３に切欠形成された円弧状の溝１４４内に移動自在に位置している。各溝１４３と１４４は保持アーム１３９の回転中心１３９Ｂを中心とした円弧状を呈しており、これにより、回転部材１３４及びギヤ１３７は図７に示す如く装着部１１６の下縁部に移動した状態と、図８に示す如く装着部１１６から下方に移動して待避した状態とを選択可能とされている。
【００８３】
また、コイルバネ１４１の取付ベース８３側の固定位置は保持アーム１３９の回転中心１３９Ｂを挟んで各溝１４３、１４４の反対側に位置しており、これにより、図７の状態ではコイルバネ１４１は回転中心１３９Ｂよりも装着部１１６側に位置し、復元力によって図７の状態を維持すると共に、図８の状態ではコイルバネ１４１は回転中心１３９Ｂよりも装着部１１６の反対側に位置し、復元力によって図８の状態を維持することになる。
【００８４】
溝１４３の装着部１１６側における取付ベース８３上には発光部と受光部から構成された光学式のセンサ１４７が取り付けられており、図７の如く装着部１１６側に移動した状態の回転部材１３４はこのセンサ１４７内に移動且つ回転自在に進入する。その状態で、回転部材１３４周囲の透孔１３６はセンサ１４７の発光部と受光部間に位置する。係る構成により回転部材１３４が回転すると、センサ１４７の発光部と受光部間を透孔１３６・・・が次々と通過することになるので、受光回数をカウントすることで、回転部材１３４の回転量（即ち、後述する研磨紙の移動量）を検出することが可能とされている。
【００８５】
一方、各図中１５１は研磨装置９８を構成する研磨カセットである。図９は研磨カセット１５１の斜視図、図１０は分解斜視図を示している。この研磨カセット１５１は前記装着部１１６内に略キッチリを収納可能な寸法を呈した矩形状の収納ケース１５２と、この収納ケース１５２内に収納された従動側の一対の従動側のリール１５６及び駆動側のリール１５７と、これらリール１５６、１５７に渡って巻回された帯状の研磨部材としての研磨紙１５８などから構成されている。また、収納ケース１５２はその上面開口を開閉自在に開閉するよう収納ケース１５２の一側に回動自在に枢支された蓋板１５３を有している。
【００８６】
収納ケース１５２の底壁１５２Ａには、円形の凹陥部１５９、１６１が上下に二カ所形成されており、各凹陥部１５９、１６１の中心部には前記各回転軸１３２、１３３が通過する円形の透孔１６２、１６３が穿設され、更に各凹陥部１５９、１６１の内壁には所定間隔で突起１６４・・・が突設されている。前記各リール１５６、１５７は円盤状の底面１５６Ａ、１５７Ａとその中心から起立する円筒状の係合部１５６Ｂ、１５７Ｂから成り、各凹陥部１５９、１６１内に納出自在に収納されると共に、その状態で各突起１６４・・・はリール１５６、１５７の底面１５６Ａ、１５７Ａ周側面に近接する（図１０中円弧矢印で示すのは底面１５６Ａの裏面）。
【００８７】
また、収納ケース１５２の他側には取付板１６６によって弾性を有した押圧部材１６７が上下に渡って取り付けられている。この押圧部材１６７は収納ケース１５２の他側の下部から上方に渡って延在している。また、収納ケース１５２の上面には把手部１６８が一体に突設されている。駆動側のリール１５７が収納される収納ケース１５２の下側の凹陥部１６１近傍下側にはローラ１７１が回転自在に取り付けられると共に、このローラ１７１の下部にはローラ側ギヤとしてのギヤ１７２が固定されてローラ１７１と一体に回転するように構成されている。尚、１７３は押圧部材１６７の下端部に対応して収納ケース１５２内に取り付けられた回転自在のカラーである。
【００８８】
更に、収納ケース１５２の各凹陥部１５９、１６１間（即ち、リール１５６、１５７間）一側における底壁には、研磨紙１５８の緩み防止手段を構成する一対の圧接部材１７６、１７７が取り付けられている。各圧接部材１７６、１７７は収納ケース１５２の底壁下面に位置し、収納ケース１５２内に位置する取付部材１７８、１７９とネジ１８１にて連結され、収納ケース１５２を挟むかたちで当該収納ケース１５２に対して各凹陥部１５９、１６１から離接する方向に移動自在に保持されている。また、取付部材１７８、１７９より内方の凹陥部１５９、１６１間に位置する収納ケース１５２の底面には固定ピン１８２が立設されており、この固定ピン１８２と各取付部材１７８、１７９間には駆動側及び従動側の圧接用バネ部材（付勢手段）としてのコイルバネ１８３、１８４が掛け渡されて固定されている。
【００８９】
更に、圧接部材１７６、１７７の先端部は円弧形状を呈し、図１１、図１２に示す如く凹陥部１５９、１６１の縁部に形成された切欠１８６、１８７から凹陥部１５９、１６１内に臨んでいる。そして、前記各コイルバネ１８３、１８４は復元力により、それぞれ各圧接部材１７６、１７７を凹陥部１５９、１６１方向に移動するように常時付勢している。
【００９０】
このように構成された収納ケース１５２内に蓋板１５３を開いてリール１５６、１５７とそれらに渡って巻回された研磨紙１５８を納出自在に収納する。このとき、リール１５６は凹陥部１５９内に、リール１５７は凹陥部１６１内にそれぞれ収納する。尚、研磨紙１５８を交換する際などには逆の操作で各リール１５６、１５７及び研磨紙１５８を収納ケース１５２の開口側に抜き取るものである。
【００９１】
リール１５６、１５７を各凹陥部１５９、１６１内に収納した状態で、研磨紙１５８はローラ１７１の下面からカラー１７３の上面、押圧部材１６７の外面に渡って掛け渡される（図９）。このとき、研磨紙１５８は各リール１５６、１５７間に渡って張り渡され、ローラ１７１下面、カラー１７３に圧接すると共に、押圧部材１６７はその弾性により常時外方に研磨紙１５８を押圧する。
【００９２】
更に、前記各圧接部材１７６、１７７はリール１５６、１５７の周側面に対向し、各コイルバネ１８３、１８４の復元力によって所定の圧力で各リール１５６、１５７の周側面に圧接する。これにより、圧接部材１７６（従動側の圧接部材）は従動側のリール１５６の回転に所定の抵抗を付与すると共に、圧接部材１７７（駆動側の圧接部材）は駆動側のリール１５７の回転に所定の抵抗を付与する。尚、各圧接部材１７６、１７７の上面（収納ケース１５２の開口側の面、即ち、各リール１５６、１５７が挿入され、或いは、抜き取られる側の面）の先端部に、先端側に低く傾斜した傾斜面を形成しておけば、傾斜面にリール１５６、１５７が当接した時点で圧接部材１７６、１７７がコイルバネ１８３、１８４に抗して待避する方向に移動されるので、リール１５６、１５７の装着作業を容易とすることができる。
【００９３】
その後、蓋板１５３を閉じて（閉じた状態は収納ケース１５２の係合部１８７と蓋板１５３の係合孔１８８との着脱自在の係合によって保持される）研磨カセット１５１の組み立てを完成する。そして、係る研磨カセット１５１を取付ベース８３の前記装着部１１６内に着脱可能に取り付けるものであるが、その際、前記回転部材１３４は図８に示す如く下方に移動され、装着部１１６から待避させておく。更に、通路部材１０３も図５に示す如く装着部１１６から離間する方向に回動させ、ピン１２７を切欠１２９内に進入させることにより、保持部材１２８によりその状態を保持しておく。
【００９４】
尚、１９１は装着部１１６の下側に取り付けられた回動自在の抑え部材であるが、これも回動させて装着部１１６から下方に延在するように待避させておく。
【００９５】
この状態で、研磨カセット１５１を図４に矢印で示す如く後方から装着部１１６内に挿入する。このとき、回転部材１３４は装着部１１６から待避しており、通路部材１０３も装着部１１６から離間する方向に回動されているので、研磨カセット１５１は装着部１１６の開放方向（回転軸１３２、１３３が突出する方向、即ち、真後ろの方向）からそのまま挿入できる。尚、装着時には抑え片１２１を側壁１１３側に移動させるものであるが、このとき、底辺１２１Ａの上面に先端側に向けて低く傾斜する傾斜面を形成しておけば、研磨カセット１５１の当接により自動的に抑え片１２１を側壁１１３側に移動させることができる。
【００９６】
このようにして研磨カセット１５１を装着部１１６内に装着した状態で、各回転軸１３２、１３３は各リール１５６、１５７の係合部１５６Ｂ、１５７Ｂ内に進入して挿脱自在に係合する。また、抑え片１２１の底辺１２１Ａは研磨カセット１５１の一側部の後面縁部を抑える。更に、研磨カセット１５１の把手部１６８は上壁１１２の切欠部１１７内に位置する。この状態で研磨カセット１５１は装着部１１６内に仮保持される。
【００９７】
次に、保持部材１２８をコイルバネ１３１に抗して持ち上げ、ピン１２７より上側としながら、通路部材１０３を装着部１１６側に回動させて、略鉛直方向に起立させ、研磨カセット１５１に近接させる。その後、保持部材１２８から手を離せば保持部材１２８はコイルバネ１３１の付勢力で降下するので、ピン１２７は図６に示す如く保持部材１２８の左縁に当接し、それによって通路部材１０３は鉛直に起立した状態を保持される。この状態で、研磨紙１５８は通路部材１０３内の移送通路１２４の開口に上下に渡って対向する。また、この状態では抑え部１２６が研磨カセット１５１の他側部の後面縁部を抑えるように研磨カセット１５１側に突出する。また、下側の抑え部材１９１を回動させて、図３の如く上側に起立させれば、研磨カセット１５１の下部が抑えられる。これにより、研磨カセット１５１は装着部１１６内において左右及び下側を抑えられて安定的に保持される。
【００９８】
その後、回転部材１３４を図７に示す如く上方に移動させる。この状態で、回転部材１３４の下方に取り付けられたギヤ１３７は図７に示すように研磨カセット１５１のローラ１７１に取り付けられたギヤ１７２に研磨紙１５８以外の部分（下側）で係合する。これによって、ローラ１７１の回転はギヤ１７２と１３７の噛み合いによって回転部材１３４に伝達されるようになる。また、カラー１３８は研磨紙１５８を挟んでローラ１７１に圧接するかたちにコイルバネ１４１に保持されることになる。また、前述の如く回転部材１３４はセンサ１４７内に進入する。
【００９９】
以上の操作で研磨装置９８を構成する研磨カセット１５１は装着部１１６内に着脱可能に装着される。この状態で、前述の如く歯車１０２により打玉が通路部材１０３内の移送通路１２４内を下から上に揚送されると、押圧部材１６７によって研磨紙１５８が移動中の打玉に当接し、押し付けられる。これによって、揚送される打玉に付着した汚れは研磨紙１５８によって削り取られ、研磨される。
【０１００】
係る打玉の研磨によって研磨紙１５８の露出部分（移送通路１２４に対向している部分）は汚れるため、図示しない制御装置は前記巻き取りモータを駆動してリール１５６に巻回された研磨紙１５８をリール１５７側に巻き取る。この巻き取り操作によって研磨紙１５８は打玉の揚送方向とは逆の上から下に移動することになるので、巻き取り中研磨作用は更に向上すると共に、移動する打玉との接触によって研磨紙１５８は張られる方向に作用力を受けるので、打玉との接触による緩みの発生が極力抑えられる。
【０１０１】
この研磨紙１５８の移動に伴ってローラ１７１が回転するので、その回転はギヤ１７２と１３７によって回転部材１３４に伝達され、回転部材１３４は回転する。そして、制御装置はセンサ１４７からの出力によって回転部材１３４の回転量を判断しており、予め定められた研磨紙１５８の一回の移動量に相当する回転量となった時点で巻き取りモータを停止する。この場合、前述の如く回転部材１３４にはギヤ１７２と１３７の噛み合いによってローラ１７１の回転が伝達されるので、ローラ１７１と研磨紙１５８との間の滑りは殆ど無くなる。従って、ローラ１７１の回転、即ち、研磨紙１５８の移動が確実に回転部材１３４に伝達されるようにので、研磨紙１５８の移動量の制御を正確に実行できるようになる。
【０１０２】
特に、ローラ１７１には駆動側のリール１５７に巻き取られる側の研磨紙１５８が掛け渡されているので、ローラ１７１の回転は正確に研磨紙１５８の移動に連動するかたちとなる。また、カラー１３８はローラ１７１の反対側で研磨紙１５８に当接しているので、ローラ１７１に対する研磨紙１５８の浮き上がりが防止されると共に、回転部材１３４の倒れ込みによる回転異常も発生しなくなる。
【０１０３】
更に、係る研磨紙１５８の移動によりリール１５６と１５７も回転するが、前述の如く圧接部材１７６と１７７が従動側（上）と駆動側（下）の各リール１５６、１５７に圧接して所定の抵抗を付与しているので、巻き取りモータへの通電停止後、慣性によってリール１５６と１５７が回転することはなくなる。これにより、研磨紙１５８が緩んでしまうことが無くなり、打玉との接触で捩れてしまう不都合も解消できるようになる。
【０１０４】
次に、このような研磨によって全ての研磨紙１５８がリール１５７側に巻き取られた場合には研磨カセット１５１を交換する必要がある。その場合には、前述とは逆の手順で先ず回転部材１３４を降下させて待避させ、抑え部材１９１も下側に回動させる（図４）。また、保持部材１２８を持ち上げて通路部材１０３を装着部１１６から離間する方向に回動させ、抑え片１２１を側壁１１３側に格納する。この状態で装着部１１６は後方に全て開放し、研磨カセット１５１の後方への脱出を阻止する障害物は無くなるので、把手部１６８を持って後側に引っ張ることにより、研磨カセット１５１は装着部１１６内から容易に取り外すことができるようになる。
【０１０５】
また、研磨部材は、紙に限らず布でもよい。又は不織布などでもよい。研磨部材を移動させるための電気的駆動源はモータに限らずソレノイドなどでもよい。回転部材の回転量を検出するための回転量検出手段はフォトセンサなどに限らずマイクロスイッチなどでもよい。ローラ回転部材が設けられる位置も限定しないものとする。例えば、ローラとリールが一体でもよいし、ローラが従働側にあるものでもよい。
【０１０６】
このように、本発明によれば研磨紙１５８が掛け渡されている部分以外の部分にてローラ１７１に接触し、当該ローラ１７１の回転が伝達される回転部材１３４と、回転部材１３４とローラ１７１の間の滑りを防止するギヤ１３７、１７２と、回転部材１３４の回転量を検出するためのセンサ１４７とを備えているので、研磨紙１５８が掛け渡されたローラ１７１と回転部材１３４間の滑りを極力防止することができるようになる。
【０１０７】
これにより、研磨紙１５８の移動に伴うローラ１７１の回転を正確に回転部材１３４に伝達させて、その回転量からセンサ１４７により正確に研磨紙１５８の移動量を検出することができるようになり、封入式の遊技機１において研磨紙１５８の的確な移動制御を実現することができるので、遊技媒体を良好に研磨できるようになる。
【０１０８】
また、回転部材１３４は、ローラ１７１の反対側で研磨紙１５８に当接するカラー１３８を備えるので、回転部材１３４の倒れ込みや研磨紙１５８のローラ１７１からの浮き上がりも防止することができるようになる。
【０１０９】
更に、研磨紙１５８は、巻き取りモータにより駆動側のリール１５７に巻き取られるようにして、ローラ１７１は、研磨紙１５８が遊技媒体に接触する箇所からリール１５７間において、研磨紙１５８が掛け渡されるようにしたので、遊技媒体に接触した後の研磨紙１５８の移動量を検出するので、確実に遊技媒体に接触して汚れた研磨紙１５８を巻き取れる。
【０１１０】
更にまた、研磨紙１５８は、打玉の移送方向と逆方向に移動されるようにしたので、移送される打玉との当接によって研磨紙１５８が緩み、捩れるなどの不都合を極力防止することができるようになる。
【０１１１】
尚、実施例では圧接部材１７６、１７７とコイルバネ１８３、１８４によって研磨紙１５８の緩み防止手段を構成したが、それに限らず、各リール１５６、１５７に圧接する板バネなどによって構成してもよい。また、実施例ではギヤ１３７、１７２の噛み合いによって回転部材１３４とローラ１７１間の滑り防止手段を構成し、ローラ１７１の回転を回転部材１３４に伝達したが、それに限らず、滑り防止手段としては、ギア以外にベルトなどを用いてもよいし、摩擦抵抗の高いもので当接させるようにしてもよい。材料などもゴムなどでもよい。具体的には、環状のゴムをローラ１７１と回転部材１３４の回転軸にそれぞれ取り付けてそれらを圧接させてもよく、また、ベルトをローラ１７１と回転部材１３４の回転軸間に掛け渡して回転を伝達するようにしてもよい。また、研磨部材はローラと回転部材とで直接挟み込むものでもよい。また、ローラに対して研磨部材が滑らないようにローラの表面に滑り防止処理を施してもよい。例えば、ローレットなど凹凸をつけるなどするとよい。
【０１１２】
尚、実施例では、帯状の研磨紙１５８をリール１５６、１５７に巻回したものを使用しているが、それに限らず、例えば帯状の研磨紙１５８を収納ケース内に折り畳んで収納し、駆動側のリールにて巻き取るものを使用してもよい。
【０１１３】
また、実施例では内部に封入された打玉（遊技媒体）を用いて遊技を行う封入式遊技機に本発明を適用したが、それに限らず、遊技機が複数台設置された遊技機設置島において各遊技機の打玉を一括して研磨する遊技用装置に本発明を適用してもよい。尚、遊技媒体は打玉に限らず、コインなどでもよい。
【０１１４】
【発明の効果】
以上詳述した如く本発明によれば、帯状の研磨部材を有し、移送通路内を移送される遊技媒体に前記研磨部材を当接させることにより、前記遊技媒体の研磨を行う研磨手段を備えた遊技用装置において、前記研磨手段は、前記研磨部材を適宜移動させる電気的駆動源と、前記研磨部材の移動量を検出するための移動量検出部とを備え、該移動量検出部は、前記研磨部材が掛け渡されるローラと、該ローラの回転が伝達される回転部材と、前記研磨部材が掛け渡されている部分以外の部分にて当該回転部材と前記ローラとを接触させ、回転部材と前記ローラの間の滑りを防止する滑り防止手段と、前記回転部材の回転量を検出するための回転量検出手段とを備えているので、研磨部材が掛け渡されたローラと回転部材間の滑りを極力防止することができるようになる。
【０１１５】
これにより、研磨部材の移動に伴うローラの回転を正確に回転部材に伝達して、その回転量から回転量検出手段により正確に研磨部材の移動量を検出することができるようになり、研磨部材の的確な移動制御を実現することができるようになるので、遊技媒体を良好に研磨できる。
【０１１６】
請求項２の発明によれば、上記に加えて前記滑り防止手段を、前記回転部材に形成された回転部材側ギヤと、前記ローラに形成され、前記回転部材側ギヤと噛み合うローラ側ギヤとから構成したので、滑り無くローラの回転を回転部材に伝達することができるようになるものである。
【０１１７】
請求項３の発明によれば、上記各発明に加えて前記回転部材は、前記ローラの反対側で前記研磨部材に当接するカラーを備えるので、回転部材の倒れ込みや研磨部材のローラからの浮き上がりも防止することができるようになるものである。
【０１１８】
請求項４の発明によれば、上記各発明に加えて前記研磨部材は、前記電気的駆動源によりリールに巻き取られるようにして、前記ローラには、前記研磨部材が遊技媒体に接触する箇所から前記リールの間において、前記研磨部材が掛け渡されるようにしたので、遊技媒体に接触した後の研磨部材の移動量を検出できるので、確実に遊技媒体に接触して汚れた研磨部材を巻き取れる。
【０１１９】
請求項５の発明によれば、上記各発明に加えて前記研磨部材は、前記遊技媒体の移送方向と逆方向に移動されるようにしたので、移送される遊技媒体との当接によって研磨部材が緩み、捩れるなどの不都合を極力防止することができるようになるものである。
【０１２０】
請求項６の発明によれば、内部に封入された遊技媒体を用いて遊技を行う封入式遊技機に上記各発明の研磨手段を取り付けたので、封入式遊技機内を循環する遊技媒体を円滑に研磨することができるようになるものである。
【図面の簡単な説明】
【図１】本発明を適用した実施例の封入式遊技機の斜視図である。
【図２】図１の遊技機の背面斜視図である。
【図３】図１の遊技機の玉循環ユニット部の斜視図である。
【図４】図３の玉循環ユニット部の分解斜視図である。
【図５】図３の玉循環ユニット部の通路部材上部の拡大斜視図である。
【図６】同じく図３の玉循環ユニット部の通路部材上部のもう一つの拡大斜視図である。
【図７】図３の玉循環ユニット部の回転部材部分の拡大図である。
【図８】同じく図３の玉循環ユニット部の回転部材部分のもう一つの拡大図である。
【図９】図３の玉循環ユニット部の研磨装置を構成する研磨カセットの斜視図である。
【図１０】図９の研磨カセットの分解斜視図である。
【図１１】図９の研磨カセットの圧接部材部分の拡大図である。
【図１２】図９の研磨カセットのリールを取り外した状態の正面図である。
【図１３】図９の研磨カセットの圧接部材部分の拡大斜視図である。
【符号の説明】
１  遊技機
３Ａ  上部前面枠
３Ｂ  下部前面枠
４  遊技盤
５  透明板保持枠
６  持点表示ユニット
７  表示ユニット
８  ハンドルセット
１０  カードユニット装置
１３  カード挿入口
１５  遊技領域
１６  ドラム式可変表示装置
１７  始動入賞口
１８  可変入賞球装置
２０  透明板
４９  持点表示部
５５  操作部
８３  取付ベース
９７  玉循環ユニット部
９８  研磨装置（研磨手段）
９９  玉揚送装置
１０２  歯車
１０３  通路部材
１１５  周囲壁
１１６  装着部
１１７  切欠部
１２１  抑え片
１２４  移送通路
１２６  抑え部
１２８  保持部材
１３４  回転部材
１３７  ギヤ
１３８  カラー
１４７  センサ
１５１  研磨カセット
１５２  収納ケース
１５３  蓋板
１５６、１５７  リール
１５８  研磨紙（研磨部材）
１６８  把手部
１７１  ローラ
１７２  ギヤ
１７６、１７７  圧接部材
１８２  固定ピン
１８３、１８４  コイルバネ（バネ部材）
【図１】
0004614299.tif 000002
【図２】
0004614299.tif 000003
【図３】
0004614299.tif 000004
【図４】
0004614299.tif 000005
【図５】
0004614299.tif 000006
【図６】
0004614299.tif 000007
【図７】
0004614299.tif 000008
【図８】
0004614299.tif 000009
【図９】
0004614299.tif 000010
【図１０】
0004614299.tif 000011
【図１１】
0004614299.tif 000012
【図１２】
0004614299.tif 000013
【図１３】
0004614299.tif 000014